(57)【特許請求の範囲】
【請求項１】
室内機に備えられ、発光する表示手段と、
所定領域の人の動きを検出する人感センサと、
所定期間内の前記人感センサにより検出された人の活動量を算出する算出手段と、
時間帯と昼夜を区別するための識別情報である昼夜情報とを対応付けた対応情報と、
現在の時刻情報を取得し、前記対応情報から読み出される現在の時刻に対応する前記昼夜情報と前記活動量とに基づいて、前記表示手段の輝度を制御する制御手段と
を具備し、
前記活動量が、活動量閾値より大きいか否かを判定する判定手段を備え、
前記制御手段は、
現在の時刻情報を取得し、前記対応情報から読み出される現在の時刻に対応する前記昼夜情報に基づいて現在が夜であり、かつ、前記判定手段により前記活動量が前記活動量閾値より大きいと判定された場合には、前記表示手段の輝度を輝度閾値より大きくする制御システム。
【請求項２】
前記活動量が、活動量閾値以下か否かを判定する前記判定手段を備え、
前記制御手段は、
現在の時刻情報を取得し、前記対応情報から読み出される現在の時刻に対応する前記昼夜情報に基づいて現在が夜であり、かつ、前記判定手段により前記活動量が前記活動量閾値以下と判定された場合には、前記表示手段の輝度を輝度閾値以下にする請求項１に記載の制御システム。
【請求項３】
前記表示手段は、発光する色に応じて輝度が設定される請求項１または請求項２に記載の制御システム。
【請求項４】
日付に対応して日の出時刻及び日の入り時刻が設定されたカレンダー手段が備えられており、
前記カレンダー手段に基づき、日付に応じて前記対応情報の時間帯を異ならせる請求項１から請求項３のいずれかに記載の制御システム。
【請求項５】
前記対応情報は、昼と夜とを複数段階に設定させ、
前記制御手段は、前記複数段階の昼と夜との昼夜情報と前記活動量とに基づいて前記表示手段の輝度を段階的に設定する請求項１から請求項４のいずれかに記載の制御システム。
【請求項６】
前記室内機に備えられたタイマー手段と、
前記室内機を遠隔操作するリモコンに備えられ、時刻情報を出力する時計手段とを具備し、
前記タイマー手段は、前記対応情報における昼と夜との時間帯が切り換わる時刻と、前記リモコンから取得した前記時刻情報との差をカウントダウンし、
前記制御手段は、前記タイマー手段が零になったことを検出した場合に、前記表示手段の輝度を変更する請求項１から請求項５のいずれかに記載の制御システム。
【請求項７】
請求項１から請求項６のいずれかに記載の制御システムと、
発光可能な表示手段を有する室内機と、
前記室内機に対応する室外機と
を具備する空気調和システム。
【請求項８】
空気調和システムの制御方法であって、
所定領域の人の動きを検出する第１工程と、
所定期間内の前記第１工程により検出された人の活動量を算出する第２工程と、
現在の時刻を取得し、時間帯と昼夜を区別するための識別情報とを対応付けた対応情報から読み出される現在の時刻に対応する昼夜情報と、前記活動量とに基づいて、発光する表示手段の輝度を制御する第３工程と、
前記活動量が、活動量閾値より大きいか否かを判定する判定工程と、
を有し、
前記第３工程では、現在の時刻情報を取得し、前記対応情報から読み出される現在の時刻に対応する前記昼夜情報に基づいて現在が夜であり、かつ、前記判定工程により前記活動量が前記活動量閾値より大きいと判定された場合には、前記表示手段の輝度を輝度閾値より大きくする制御方法。
【請求項９】
空気調和システムの制御プログラムであって、
所定領域の人の動きを検出する第１処理と、
所定期間内の前記第１処理により検出された人の活動量を算出する第２処理と、
現在の時刻を取得し、時間帯と昼夜を区別するための識別情報とを対応付けた対応情報から読み出される現在の時刻に対応する昼夜情報と、前記活動量とに基づいて、発光する表示手段の輝度を制御する第３処理と、
前記活動量が、活動量閾値より大きいか否かを判定する判定処理とを有し、
前記第３処理では、現在の時刻情報を取得し、前記対応情報から読み出される現在の時刻に対応する前記昼夜情報に基づいて現在が夜であり、かつ、前記判定処理により前記活動量が前記活動量閾値より大きいと判定された場合には、前記表示手段の輝度を輝度閾値より大きくするように制御する処理をコンピュータに実行させるための制御プログラム。
【発明の詳細な説明】
【技術分野】
【０００１】
本発明は、制御システム、それを備えた空気調和システム、制御方法並びに制御プログラムに関するものである。
【背景技術】
【０００２】
例えば、空気調和システムの室内機において、運転状況等を示すディスプレイランプは昼夜における輝度設定を一定としている場合に、周囲が明るい「昼」を基準として輝度を明るめの設定にすると夜に眩しく感じられ、逆に周囲が暗くなる「夜」を基準として輝度を抑えめの設定にすると昼に視認性が悪くなるという問題があった。そのため、照明器具や家電製品等は、昼と夜で異なる設定がされることがある。
例えば、下記特許文献１では、電子レンジのマイコンが有する時計の時刻を用いて、実際には電子レンジを使用しないと考えられる夜１０時から朝６時までは表示の輝度を落として低消費電力化を図るという技術が開示されている。
【０００３】
下記特許文献２では、夜中に人が寝ている状態から目が覚めて半覚醒状態でトイレを使用する場合には眩しさを抑えて目が覚めないように低い照度の照明を用い、人が覚醒している場合には照度の高い照明を用いるトイレの照明器具付き換気装置が開示されている。
下記特許文献３では、日の出時刻及び日の入り時刻などの所定時刻に応じて照明器具に与える調光量を変更して省エネルギ化を図る技術が開示されている。
【先行技術文献】
【特許文献】
【０００４】
【特許文献１】特開昭６３−１８８１９２号公報
【特許文献２】特開２００９−３９１４４号公報
【特許文献３】特開２００１−１４３８７６号公報
【発明の概要】
【発明が解決しようとする課題】
【０００５】
しかしながら、空気調和システムは、同じ夜の時間帯であっても、部屋の灯りを消して人の就寝時に動作させることや、部屋の灯りを点けて周囲が明るい状態で人が活動している時に動作させることもあるので、上記特許文献１から特許文献３のように、時間帯に応じてディスプレイランプの輝度設定を切り替えると、ディスプレイランプの視認性の良し悪しが状況によって左右され、視認性が悪くなることがあるという問題があった。
【０００６】
本発明は、上記問題を解決するためになされたもので、室内機のディスプレイランプの視認性を向上させる制御システム、それを備えた空気調和システム、制御方法並びに制御プログラムを提供することを目的とする。
【課題を解決するための手段】
【０００７】
上記課題を解決するために、本発明は以下の手段を採用する。
本発明は、室内機に備えられ、発光する表示手段と、所定領域の人の動きを検出する人感センサと、所定期間内の前記人感センサにより検出された人の活動量を算出する算出手段と、時間帯と昼夜を区別するための識別情報である昼夜情報とを対応付けた対応情報と、現在の時刻情報を取得し、前記対応情報から読み出される現在の時刻に対応する前記昼夜情報と前記活動量とに基づいて、前記表示手段の輝度を制御する制御手段とを具備し、前記活動量が、活動量閾値より大きいか否かを判定する判定手段を備え、前記制御手段は、現在の時刻情報を取得し、前記対応情報から読み出される現在の時刻に対応する前記昼夜情報に基づいて現在が夜であり、かつ、前記判定手段により前記活動量が前記活動量閾値より大きいと判定された場合には、前記表示手段の輝度を輝度閾値より大きくする制御システムを提供する。
【０００８】
本発明によれば、室内機には発光する表示手段が備えられており、所定領域の所定期間において人感センサにより検出された人の活動量が算出される。時間帯と昼夜を区別するための識別情報とが対応付けられた対応情報に基づいて、現在の時刻に対応する昼夜情報が読み出される。昼夜の情報と活動量とに基づいて、表示手段の輝度が制御される。
【０００９】
このように、活動量と昼夜の情報（時間帯）を組み合わせて表示手段の輝度を制御するので、時間帯だけで輝度を制御する場合と比較して、表示手段の輝度制御を細やかに行うことができ、視認性の向上につながる。また、空調運転等に従来から用いられている人感センサを用いて活動量を算出するので、新たな機器・センサ等を追加する必要がなく、コストを抑えることができる。
また、空気調和システムのユーザは、表示手段の輝度の変化を確認（目視）することにより、人感センサの感度を知らせるための表示部等を設けなくても、人感センサが反応していることや感度を識別できる。
【００１１】
また、現在が夜であり、かつ、活動量が活動量閾値より大きい場合は、夜であっても人が起きて活動をしているケースが考えられる。そのような場合には室内機が設けられる空間は照明等が点けられ明るいと推定されるので、表示手段の輝度は輝度閾値より大きくする。
時間帯で判断され、夜だからといって輝度が変更されることにより生じていた視認性の悪化を防ぎ、視認性を向上させることができる。
【００１２】
上記制御システムにおいて、前記活動量が、活動量閾値以下か否かを判定する判定手段を備え、前記制御手段は、現在の時刻情報を取得し、前記対応情報から読み出される現在の時刻に対応する前記昼夜情報に基づいて現在が夜であり、かつ、前記判定手段により前記活動量が前記活動量閾値以下と判定された場合には、前記表示手段の輝度を輝度閾値以下にすることとしてもよい。
【００１３】
このように、現在が夜であり、かつ、活動量が活動量閾値以下の場合は、人が不在、或いは活動量が小さい（例えば、就寝中）と推定されるので、表示手段の輝度は輝度閾値以下に小さくする。これにより、室内機が設けられる空間の照明等が消され、空気調和システムを動作させたまま就寝したとしても、周囲が暗いのに表示手段の輝度が高いことにより、明るすぎてユーザの睡眠を妨げることを防ぐことができる。
【００１４】
上記制御システムの前記表示手段は、発光する色に応じて輝度が設定されることとしてもよい。
【００１５】
表示手段にＬＥＤ（発光ダイード；Ｌｉｇｈｔ  Ｅｍｉｔｔｉｎｇ  Ｄｉｏｄｅ）を用いる場合は、同じ電流値を流しても、青色ＬＥＤは、白色ＬＥＤや赤色ＬＥＤ等の他の色と比較して輝度が明るく感じられる。また、利用者によって明るさの感じ方は異なる。
そのため、発光する色に応じて輝度の設定（例えば、青色ＬＥＤは他の色よりも輝度を抑える調整）をすることにより、同じ電流値を流した場合の表示手段の輝度の程度を均一化させることができる。
【００１６】
上記制御システムは、日付に対応して日の出時刻及び日の入り時刻が設定されたカレンダー手段が備えられており、前記カレンダー手段に基づき、日付に応じて前記対応情報の時間帯を異ならせてもよい。
【００１７】
季節に応じて日の出や日の入りの時刻が異なるので、時期（日付）によって昼夜を識別するための時間帯を異ならせることにより、表示手段の視認性をより向上させることができる。
【００１８】
上記制御システムは、前記対応情報は、昼と夜とを複数段階に設定させ、前記制御手段は、前記複数段階の昼と夜との昼夜情報と前記活動量とに基づいて前記表示手段の輝度を段階的に設定することとしてもよい。
【００１９】
「昼」「夜」の２段階だけでなく、昼１、昼２、夜１、夜２といったように、昼及び夜の輝度を時間帯に応じて複数段階に設定することにより、各時間帯に応じて表示手段の視認性をより向上することができる。
【００２０】
上記制御システムは、前記室内機に備えられたタイマー手段と、前記室内機を遠隔操作するリモコンに備えられ、時刻情報を出力する時計手段とを具備し、前記タイマー手段は、前記対応情報における昼と夜との時間帯が切り換わる時刻と、前記リモコンから取得した前記時刻情報との差をカウントダウンし、前記制御手段は、前記タイマー手段が零になったことを検出した場合に、前記表示手段の輝度を変更してもよい。
【００２１】
これにより、室内機に時計機能（時計手段）が備えられていなくても、タイマー手段が備えられることにより、昼と夜の時間帯を確実に検出し、時間帯に応じた表示手段の輝度変更ができる。
【００２２】
本発明は、上記いずれかに記載の制御システムと、発光可能な表示手段を有する室内機と、前記室内機に対応する室外機とを具備する空気調和システムを提供する。
【００２３】
本発明は、空気調和システムの制御方法であって、所定領域の人の動きを検出する第１
工程と、所定期間内の前記第１工程により検出された人の活動量を算出する第２工程と、
現在の時刻を取得し、時間帯と昼夜を区別するための識別情報とを対応付けた対応情報か
ら読み出される現在の時刻に対応する昼夜情報と、前記活動量とに基づいて、発光する表
示手段の輝度を制御する第３工程と、前記活動量が、活動量閾値より大きいか否かを判定する判定工程と、を有し、前記第３工程では、現在の時刻情報を取得し、前記対応情報から読み出される現在の時刻に対応する前記昼夜情報に基づいて現在が夜であり、かつ、前記判定工程により前記活動量が前記活動量閾値より大きいと判定された場合には、前記表示手段の輝度を輝度閾値より大きくする制御方法を提供する。
【００２４】
本発明は、空気調和システムの制御プログラムであって、所定領域の人の動きを検出す
る第１処理と、所定期間内の前記第１処理により検出された人の活動量を算出する第２処
理と、現在の時刻を取得し、時間帯と昼夜を区別するための識別情報とを対応付けた対応
情報から読み出される現在の時刻に対応する昼夜情報と、前記活動量とに基づいて、発光
する表示手段の輝度を制御する第３処理と、前記活動量が、活動量閾値より大きいか否かを判定する判定処理とを有し、前記第３処理では、現在の時刻情報を取得し、前記対応情報から読み出される現在の時刻に対応する前記昼夜情報に基づいて現在が夜であり、かつ、前記判定処理により前記活動量が前記活動量閾値より大きいと判定された場合には、前記表示手段の輝度を輝度閾値より大きくするように制御する処理をコンピュータに実行させるための制御プログラムを提供する。
【発明の効果】
【００２５】
本発明は、室内機のディスプレイランプの視認性を向上できるという効果を奏する。
【図面の簡単な説明】
【００２６】
【図１】本発明の第１の実施形態に係る空気調和システムの外観斜視図である。
【図２】本発明の第１の実施形態に係る空気調和システムの室内ユニットとリモコンの機能ブロック図である。
【図３】本発明の第１の実施形態に係る対応情報の一例である。
【図４】本発明の第１の実施形態に係る輝度対応情報の一例である。
【図５】本発明の第１の実施形態の変形例２に係る制御装置の機能ブロック図である。
【図６】本発明の第１の実施形態の変形例３に係る対応情報と輝度対応情報を組み合わせて示した一例の図である。
【図７】本発明の第２の実施形態に係る空気調和システムの室内ユニットとリモコンの機能ブロック図である。
【発明を実施するための形態】
【００２７】
〔第１の実施形態〕
本発明にかかる第１の実施形態について、図１から図６を参照して説明する。
以下に、本発明に係る制御システム、それを備えた空気調和システム、制御方法並びに制御プログラムの実施形態について、図面を参照して説明する。
【００２８】
図１には、本発明の実施形態に係る空気調和システムの外観斜視図が示されている。
空気調和システム１は、セパレート形の空気調和機であり、室外ユニット６と、室内ユニット（室内機）２、リモコン３と、制御システム１０とを備えている。室外ユニット６は、屋外の適所に設置され、また、室内ユニット２は、室内の壁面等に据付け板４を介して設置されるものであり、この室外ユニット６と室内ユニット２は、内外接続配管５および図示省略の信号線等を介して接続されることにより一体化され、リモコン３によって運転操作されるようになっている。
【００２９】
室外ユニット６には、公知の如く、圧縮機、室外熱交換器、室外送風機、四方切換弁、膨張弁および室外コントローラ等の室外側機器類が収容設置されるとともに、室内ユニット２には、室内熱交換器、室内送風機、室内コントローラ等の室内側機器類が収容設置されている。これら圧縮機、室外熱交換器、四方切換弁、膨張弁、室内熱交換器等が、内外接続配管５を含む冷媒配管を介して順次配管接続されることにより、密閉サイクルとされた公知の冷凍サイクルが構成されている。そして、この冷凍サイクル内には、冷媒が所要量充填されている。
【００３０】
室内ユニット２は、上面（および／または前面）に設けられている吸込みグリル７から室内空気を吸込み、その空気を室内熱交換器（図示略）により冷却または加熱して温調した後、送風機を介して下部の吹出し口８から室内に吹出すことにより、室内の空調に供する構成とされている。また、室内ユニット２は、表示部（表示手段）２４を備えており、室内ユニット２の運転状況等が表示され、利用者に提示する。
【００３１】
制御システム１０は、人感センサ２１と、表示部２４と、制御装置４０とを備えている。本実施形態においては、制御システム１０は室内ユニット２に備えられている。
図２は、室内ユニット２とリモコン３の機能ブロック図を示している。
室内ユニット２は、人感センサ２１と、受信部２２と、表示部２４と、制御装置４０とを備えている。
人感センサ２１は、室内ユニット２の前面等に備えられ、所定領域の人の動きを検出し、検出結果を制御装置４０に出力する。人感センサ２１は、例えば、赤外線センサや超音波センサ、或いは撮像素子等の検出装置を有しており、室内ユニット２が設けられている室内の所定領域に存在する人を検出する。
【００３２】
受信部２２は、リモコン３から各種信号（例えば、空調運転開始信号等）を受信し、受信した情報を制御装置４０に出力する。
表示部２４は、室内ユニット２の前面等に備えられ、発光する。表示部２４は、ディスプレイランプや表示ディスプレイ等が一例として挙げられる。また、本実施形態においては、表示部２４は、ＬＥＤを用いることによりを発光させることとして説明するが、発光させるための手段は特に限定されない。表示部２４の輝度は、段階的に設定できるものとする。例えば、表示部２４の輝度が、５段階で設定され、最も明るい段階を「段階５」とし、「段階５」より輝度を抑えた「段階４」、「段階４」より輝度を抑えた「段階３」・・・といった設定ができるようになっている。
【００３３】
制御装置４０は、例えば、コンピュータであり、図示しないＣＰＵ（中央演算装置）、ＲＡＭ（Ｒａｎｄｏｍ  Ａｃｃｅｓｓ  Ｍｅｍｏｒｙ）、及びコンピュータ読み取り可能な記録媒体等から構成されている。後述する各種機能を実現するための処理手順は、プログラムの形式で記録媒体等に記録されており、このプログラムをＣＰＵがＲＡＭ等に読み出して、情報の加工・演算処理を実行することにより、後述の各種機能が実現される。
【００３４】
具体的には、制御装置４０は、算出部（算出手段）４１と、判定部（判定手段）４２と、制御部（制御手段）４３と、時計部４４と、対応情報４５とを備えている。
算出部４１は、所定期間内の人感センサ２１により検出された人の活動量を算出する。例えば、算出部４１は、所定期間（例えば、５分）において、人感センサ２１により人の動きを検出した検出信号の回数を計数し、計数結果を活動量とする。
【００３５】
判定部４２は、所定期間内の活動量が活動量閾値より大きいか否かを判定する。例えば、人感センサ２１により検出された人の動きを検出した回数によって人の活動量を判断する場合に、回数に対して活動量閾値を設けておき、判定部４２は、人感センサ２１による検出回数が活動量閾値より大きいか否かを判定する。判定部４２は、活動量が活動量閾値より大きいと判定すれば、人が動いて活動していると判断でき、活動量が活動量閾値以下であれば、人が不在、或いは活動量が少ない（例えば、就寝中）と判断できる。
【００３６】
対応情報４５は、時間帯と昼夜を区別するための識別情報である昼夜情報とを対応付け、制御装置４０が備える格納部（図示略）に格納されている。図３には、対応情報４５の一例が示されている。なお、図３では、２０時から６時までを「Ｉ（夜）」とし、６時から２０時までを「ＩＩ（昼）」として設定しているが、昼夜の設定はこれに限定されない。例えば、６時から２０時までを「夜」とし、２０時から６時を「昼」とするように実際の昼夜と一致していなくても良く、本実施形態でいう昼夜とは空気調和システム１に対して設定される昼夜の設定とする。換言すると、対応情報４５で示される昼夜情報は、表示部２４の輝度を決定するための識別情報である。
【００３７】
時計部４４は、時計機能を有しており、現在の時刻情報を制御部４３に出力する。また、時計部４４は、人感センサ２１により人の活動量等の所定期間を計測するタイマー機能も有している。
制御部４３は、現在の時刻情報を取得し、対応情報４５から読み出される現在の時刻に対応する昼夜情報と活動量とに基づいて、表示部２４の輝度を制御する。具体的には、制御部４３は、取得した現在の時刻情報と、対応情報４５の時刻情報が含まれる時間帯の昼夜情報に基づいて、現在が夜であり、かつ、判定部４２により活動量が活動量閾値より大きいと判定された場合には、表示部２４の輝度を輝度閾値より大きくする。
【００３８】
これは、夜間であっても人が起きて活動をしている場合を勘案している。こうした場合には室内ユニット２が設けられる空間（部屋）は照明等が点けられ明るく、表示部２４に示される表示内容をユーザが確認することが想定されるので、表示部２４の輝度は所定値より大きくする。これにより、照明によって部屋が明るい状態であっても、表示部２４の視認性を向上させることができる。
【００３９】
また、制御部４３は、現在の時刻情報を取得し、対応情報４５から読み出される現在の時刻に対応する昼夜情報に基づいて、現在が夜であり、かつ、判定部４２により活動量が活動量閾値以下と判定された場合には、表示部２４の輝度を輝度閾値以下にする。
これは、室内ユニット２が設けられる空間の照明等が消され、空気調和システム１を動作させたまま就寝している場合や室内に人が不在である場合を勘案している。こうした場合には、ユーザは表示部２４の表示内容を確認することは少ない（或いは、ない）と想定されるので、表示部２４の輝度を輝度閾値以下に抑える。これにより、部屋を暗くしているのに表示部２４の輝度が高いことによってユーザの睡眠を妨げるということを防ぐ。
【００４０】
また、制御部４３は、現在の時刻情報を取得し、対応情報４５に基づいて現在の時刻を含む時間帯に対応する昼夜情報が昼である場合には、活動量に依らず、表示部２４の輝度を輝度閾値より大きくする。
そして、例えば、輝度閾値（例えば、５段階の輝度のうち「段階３」を輝度閾値とする）を設けておき、制御部４３は、輝度を輝度閾値より大きくする場合には、表示部２４の輝度を「段階５」にし、輝度を輝度閾値以下とする場合には、表示部２４の輝度を「段階３」にするといった制御を行う。
【００４１】
制御部４３は、図４に示されるように、昼夜情報と、活動量閾値の超過有無との組み合わせに応じた輝度情報を対応付けた輝度対応情報を格納部に格納しておき、輝度対応情報を読み出して、表示部２４の輝度を制御してもよい。
【００４２】
リモコン３は、送信部３１と、制御部３２と、操作部３３とを備えている。
操作部３３は、空気調和システム１のユーザによって操作されるものであり、備えられるボタン等がユーザによって操作され、各種制御信号（例えば、空調運転開始信号、表示部２４の輝度設定信号等）が入力される。
【００４３】
制御部３２は、例えば、コンピュータであり、図示しないＣＰＵ（中央演算装置）、ＲＡＭ（Ｒａｎｄｏｍ  Ａｃｃｅｓｓ  Ｍｅｍｏｒｙ）、及びコンピュータ読み取り可能な記録媒体等から構成されている。後述する各種機能を実現するための処理手順は、プログラムの形式で記録媒体等に記録されており、このプログラムをＣＰＵがＲＡＭ等に読み出して、情報の加工・演算処理を実行することにより、後述の各種機能が実現される。
また、制御部３２は、記憶部３２ａを備えている。
【００４４】
記憶部３２ａは、操作部３３により操作した内容や設定内容が記憶される。
送信部３１は、室内ユニット２に対し、操作部３３から入力された各種制御信号を出力する。例えば、送信部３１は、室内ユニット２の運転を開始する空調運転開始信号を出力する。
【００４５】
以上に説明の構成により、本実施形態によれば、以下の作用効果を奏する。
ユーザがリモコン３を操作し、空調運転を開始させると、リモコン３の送信部３１から空調運転の制御信号が室内ユニット２に送信される。
空調運転の制御信号が、室内ユニット２の受信部２２に受信されると、空調運転の制御信号が制御装置４０に出力される。空調運転の制御信号に基づいて室内ユニット２は運転が開始される。
【００４６】
室内ユニット２は運転が開始されると、室内ユニット２が配置されている空間において、所定領域の人の動きが人感センサ２１で検出されるとともに、人感センサ２１により検出された所定期間の人の活動量が算出され、算出された活動量が活動量閾値と比較される。また、時計部４４から取得する時刻情報と対応情報４５とに基づいて現在が「昼」または「夜」のどちらであるかが判定される。
【００４７】
現在が「夜」であり、活動量が活動量閾値より大きい場合には、人が活動中と想定し、表示部２４の輝度が輝度閾値（例えば、段階３）より大きい値（例えば、段階５）にされる。また、現在が「夜」であり、活動量が活動量閾値以下の場合には、人が不在、或いは就寝中と想定して、表示部２４の輝度は輝度閾値以下の値（例えば、段階３）に設定される。また、現在が「昼」である場合には活動量に依らず、表示部２４の輝度を輝度閾値より大きい値（例えば、段階５）に設定される。
【００４８】
以上説明してきたように、本実施形態に係る制御システム１０、それを備えた空気調和システム１、制御方法並びに制御プログラムによれば、室内ユニット２には発光する表示部２４が備えられており、人感センサ２１により検出された所定期間内の所定領域の人の活動量が算出され、時間帯と昼夜情報とを対応付けた対応情報４５に基づいて、現在の時刻に対応する昼夜情報が読み出され、昼夜情報と活動量とに基づいて、表示部２４の輝度が制御される。
現在が夜であり、かつ、活動量が閾値以下の場合は、人が不在、或いは活動量が小さい（例えば、就寝中）と推定されるので、表示部２４の輝度は輝度閾値以下に小さくする。これにより、室内ユニット２が設けられる空間の照明等が消され、空気調和システム１を動作させたまま就寝したとしても、表示部２４の輝度が高いことにより睡眠を妨げることを防ぐことができる。
【００４９】
また、現在が夜であり、かつ、活動量が閾値より大きい場合は、夜であっても人が起きて活動をしている場合があり、そのような場合には室内ユニット２が設けられる空間は照明等が点けられ明るいと推定されるので、表示部２４の輝度は輝度閾値より大きくする。これにより、照明によって部屋が明るい状態であっても、表示部２４の視認性を向上させることができる。
また、空気調和システム１のユーザは、輝度の変化を確認することにより、表示部２４に別途人感センサの感度を知らせるための表示領域等を設けなくても、人感センサ２１が反応していることや感度を識別できる。
【００５０】
〔変形例１〕
なお、上述した本実施形態の構成に加え、表示部２４は、発光する色に応じて輝度が設定されてもよい。具体的には、表示部２４にＬＥＤを用いる場合は、同じ電流値を流しても、青色ＬＥＤは、白色ＬＥＤや赤色ＬＥＤ等の他の色と比較して輝度が明るく感じられる。また、利用者によって明るさの感じ方は異なる。そのため、発光する色に応じて適宜輝度の設定をすることにより、同じ電流値を流した場合の表示部２４の輝度の程度を均一化させることができる。
【００５１】
例えば、輝度を「段階１」から「段階５」の５段階とし、輝度閾値を「段階３」とし、表示部２４を輝度閾値より大きくする制御をする場合に、青色ＬＥＤに対しては最も明るい「段階５」よりも輝度を抑えた「段階４」に設定し、他の色は最も明るい「段階５」にするといった設定ができる。
また、こうした輝度の設定は、室内ユニット２を直接操作して設定してもよいし、リモコン３から設定して室内ユニット２に送信してもよい。
このように、発光する色に応じて輝度を設定することにより、輝度を均一化し、より視認性の向上につながる。
【００５２】
〔変形例２〕
また、図５に示されるように、制御装置４０が、日付によって日の出時刻及び日の入り時刻が設定されたカレンダー部（カレンダー手段）５０を備えており、カレンダー部５０に基づき、日付に応じて対応情報４５の時間帯を異ならせてもよい。
季節・時期に応じて日の出や日の入りの時刻が異なることを勘案し、時期（日付）によって昼夜を識別するための時間帯を異ならせることにより、表示部２４の視認性をより向上させることができる。
【００５３】
〔変形例３〕
また、対応情報４５は、昼と夜との時間帯を複数設定し、制御部４３は、複数の時間帯それぞれに対応して表示部２４の輝度を段階的に設定してもよい。
図６は、本変形例にかかる対応情報と輝度対応情報を組み合わせた図の一例である。
例えば、図６に示されるように、「昼」「夜」だけでなく、Ｉ（昼１）、II（昼２）、III（夜１）、IV（夜２）といったように、昼及び夜の輝度を時間帯に応じて複数段階に設定する。また、Ｉ（昼１）、II（昼２）、III（夜１）、IV（夜２）の昼夜情報と活動量とに基づいて表示部２４の輝度を設定する。
これにより、ユーザは、各時間帯に応じて表示部２４をより識別しやすくなる。
【００５４】
〔第２の実施形態〕
次に、本発明の第２の実施形態について図７を用いて説明する。本実施形態においては、室内ユニット２には時計機能を備えず、タイマー機能を備えたタイマー部４４´を備え、リモコン３に時計機能を備え、室内ユニット２とリモコン３との組み合わせにより室内ユニット２で時刻を識別させる点で第１の実施形態と異なる。以下、本実施形態について、第１の実施形態と共通する点については説明を省略し、異なる点について主に説明する。
【００５５】
リモコン３は、時計部（時計手段）３２ｂを備えている。時計部３２ｂは、リモコン３が操作され、空調運転の制御信号が入力され、室内ユニット２に制御信号が送信される場合に、空調運転の制御信号に併せて時刻情報を室内ユニット２に出力する。
室内ユニット２は、タイマー部（タイマー手段）４４´を備えている。
室内ユニット２は、受信部２２から時刻情報を取得すると、タイマー部４４´に出力する。
【００５６】
タイマー部４４´は、空調運転の制御信号を取得すると所定期間の時間を計測（カウント）する。具体的には、タイマー部４４´は、人感センサ２１により人の活動量を計測する所定期間を計測する。
また、タイマー部４４´は、対応情報４５における昼時間帯と夜時間帯が切り換わる境目の時刻と、リモコン３から取得した時刻情報との差の時間（つまり、現在時刻から昼夜が切り換わるまでの間隔）をカウントダウンする。
制御部４３は、タイマー部４４´のカウントが零になったことを検出した場合に、表示部２３の輝度を変更する。
【００５７】
以上に説明の構成により、本実施形態によれば、以下の作用効果を奏する。
ユーザがリモコン３を操作し、空調運転を開始させると、リモコン３の送信部３１から空調運転の制御信号とともに、時計部３２ｂの時刻情報（例えば、１７時）が室内ユニット２に送信される。
空調運転の制御信号と時刻情報が、室内ユニット２の受信部２２に受信されると、制御装置４０に出力される。空調運転の制御信号に基づいて室内ユニット２は運転が開始される。
【００５８】
タイマー部４４´は、リモコン３から取得した時刻情報（例えば、１７時）と、対応情報４５における昼夜の時間帯が切り替わる時刻（例えば、図３に基づいて２０時）との差（例えば、３時間）を算出し、この差（例えば、３時間）の時間をカウントダウンする。
タイマー部４４´のカウントがゼロになった（つまり、３時間が経過した）ことが検出されると、制御部４３にカウントがゼロになった旨を通知する。
カウントがゼロになったという通知を受信した制御部４３は、表示部２４の輝度を調整する。
【００５９】
これにより、室内ユニット２に時計機能が備えられていなくても、タイマー部４４´が備えられ、リモコン３側から時計情報を取得すれば、昼と夜の時間帯を確実に検出し、時間帯に応じた表示部２４の輝度変更ができる。
【００６０】
なお、本発明は上述した実施形態に限定されることはなく、その要旨を逸脱しない範囲内において適宜変更することができる。
【符号の説明】
【００６１】
１  空気調和システム
２  室内ユニット
３  リモコン
６  室外ユニット
２１  人感センサ
２４  表示部（表示手段）
３２ｂ  時計部（時計手段）
４０  制御装置
４１  算出部（算出手段）
４２  判定部（判定手段）
４３  制御部（制御手段）
４４  時計部
４４´  タイマー部（タイマー手段）
４５  対応情報
【図１】
0006522365.tif 000002
【図２】
0006522365.tif 000003
【図３】
0006522365.tif 000004
【図４】
0006522365.tif 000005
【図５】
0006522365.tif 000006
【図６】
0006522365.tif 000007
【図７】
0006522365.tif 000008